(57)【要約】【課題】ＬＡＮのトラフィックを増加させることなくユニークなＢＣＡデータを記録媒体に記録するＢＣＡデ−タ記録システムの提供。【解決手段】記録媒体にＢＣＡデータを記録するＢＣＡマーカ２２ａ〜２２ｎと、該ＢＣＡマーカ２２ａ〜２２ｎにＢＣＡデータを転送して当該ＢＣＡデータの記録を指示するライン制御コンピュータ２１ａ〜２１ｎとから成る複数のＢＣＡデータ記録ライン２０ａ〜２０ｎと、該複数のＢＣＡデータ記録ライン２０ａ〜２０ｎをＬＡＮ３０を介して制御するデータベースサーバ１０とから成るＢＣＡデータ記録システムであって、前記ライン制御コンピュータ２１ａ〜２１ｎが、ＢＣＡデータ記録システム個々にユニークに付与された固有ＩＤと工場毎に付与された工場ＩＤと前記複数のＢＣＡデータ記録ライン固有に付与されたラインＩＤとシリアル番号値を基にユニークなＢＣＡデータを生成し、記録媒体に記録するもの。【選択図】図１
2009080898.tif 000002
【特許請求の範囲】
【請求項１】
記録媒体にＢＣＡデータを記録するＢＣＡマーカ及び該ＢＣＡマーカにＢＣＡデータを転送して当該ＢＣＡデータの記録を指示するライン制御コンピュータとを有する複数のＢＣＡデータ記録ラインと、該複数のＢＣＡデータ記録ラインとＬＡＮを介して接続するデータベースサーバとから成るＢＣＡデータ記録システムであって、
前記データベースサーバは、該ＢＣＡデータ記録システムにユニークに付与された固有ＩＤを前記複数のＢＣＡデータ記録ラインに固有に付与された工場ＩＤとラインＩＤごとに記憶し、
前記ライン制御コンピュータは、前記固有ＩＤをＬＡＮを介してデータベースサーバから受信し、該受信した固有ＩＤと前記ライン制御コンピュータ自身が記憶する工場ＩＤとラインＩＤとを基に前記複数のＢＣＡデータ記録ライン毎のユニークなＢＣＡデータを生成し、該生成したＢＣＡデータをＢＣＡマーカを用いて記録媒体に記憶させることを特徴とするＢＣＡデータ記録システム。
【請求項２】
前記ライン制御コンピュータが、前記固有ＩＤと工場ＩＤとラインＩＤを組み合わせ、これを１ずつ値が増加するシリアル番号の基数とすることにより、複数のＢＣＡデータ記録ライン毎のユニークなＢＣＡデータを生成することを特徴とする請求項１記載のＢＣＡデータ記録システム。
【請求項３】
前記ライン制御コンピュータが、最終記録を行ったＢＣＡデータに含まれるシリアル番号から工場ＩＤとラインＩＤを取り除いたデータを固有ＩＤとしてデータベースサーバに送信し、該データベースサーバが、前記ライン制御コンピュータのＢＣＡデータの記録を再開するとき、前記転送された固有ＩＤをライン制御コンピュータに送信し、該ライン制御コンピュータが、前記固有ＩＤと工場ＩＤとラインＩＤを組み合わせ、これを１ずつ値が増加するシリアル番号の基数とすることにより、ＢＣＡデータを生成することを特徴とする請求項２記載のＢＣＡデータ記録システム。
【発明の詳細な説明】
【技術分野】
【０００１】
本発明は、光ディスク等の記録媒体に記録される著作物の著作権表示のために使用されるＢＣＡデ−タを記録するＢＣＡデ−タ記録システムに係り、特にＢＣＡデータを記録する製造システムにおけるＬＡＮ上のトラフィックの増加を防止することができるＢＣＡデ−タ記録システムに関する。
【背景技術】
【０００２】
一般に映画や音楽等を記録する記録媒体であるＤＶＤ（Digital Versatile Disk：登録商標）は、著作物の不正コピー防止を目的とした著作権表示のために光ディスクのＢＣＡ（Burst Cutting Area）と呼ばれる領域にディスク１枚毎に固有の「メディアＩＤ」を記録しており、この「メディアＩＤ」はＢＣＡデータと呼ばれている。
【０００３】
このＤＶＤを製造する製造メーカは、例えば図２に示す如く、多数のＤＶＤ２３ａ他に記録するＢＣＡデータを一元管理するデータベース（ＤＢ）サーバ１０と、該ＤＢサーバ１０にＬＡＮ３０を介して接続され、ＢＣＡデータをＤＶＤ２３ａ他に記録するＢＣＡマーカ２２及び該ＢＣＡマーカ２２を制御するライン制御ＰＣ２１とから成る複数のＢＣＡデータ記録ライン２０ａ〜２０ｎとから製造ラインを構成し、各記録ライン２０ａ〜２０ｎのライン制御ＰＣ２１がＤＶＤにＢＣＡデータを記録する毎に前記ＤＢサーバ１０からＢＣＡデータをダウンロードし、このダウンロードしたＢＣＡデータをＤＶＤ毎に記録するものであった。これを具体的に説明すると、ＢＣＡデータ記録ライン２０は、ＢＣＡマーカ２２を用いてＤＶＤ２３ａにＢＣＡデータを記録するとき、ライン制御ＰＣ２１がＬＡＮ３０を介してＢＣＡデータをＤＢサーバ１０に要求し、これを受けたＤＢサーバ１０が予め用意したＢＣＡデータをＬＡＮ３０を介してライン制御ＰＣ２１に送信し、これをダウンロードしたライン制御ＰＣ２１がＢＣＡマーカ２２を用いてＤＶＤ２３ａにＢＣＡデータを記録する様に動作するものであった。例えば、図２の例においては、ＢＣＡデータ記録ライン２０ａのライン制御ＰＣ２１がＬＡＮ３０を介してＢＣＡデータをＤＢサーバ１０に要求すると、該要求に応じてＤＢサーバ１０がＢＣＡデータID01を送出し、このＢＣＡデータID01を受けたライン制御ＰＣ２１がＢＣＡマーカ２２を用いてＤＶＤ２３ａにＢＣＡデータID01を記録し、続いてライン制御ＰＣ２１がＢＣＡデータをＤＢサーバ１０に要求すると、該要求に応じてＤＢサーバ１０がＢＣＡデータID02を送出し、このＢＣＡデータID02を受けたライン制御ＰＣ２１がＤＶＤ２３ｂにＢＣＡデータID01を記録する様に、ＢＣＡデータの記録の度にＤＢサーバ１０からＢＣＡデータをダウンロードして記録する様に動作していた。
【０００４】
尚、前記光ディスクのＢＣＡデータの記録に関する技術が記載された文献としては、下記特許文献が挙げられ、下記特許文献には、ＢＣＡデータに秘密鍵を含ませ、再生装置側で前記秘密鍵を解読できなければデータの再生ができない技術が記載されている。
【特許文献１】特開２００６−２２１８０３号公報
【発明の開示】
【発明が解決しようとする課題】
【０００５】
前述の従来技術によるＢＣＡデータの記録は、各製造ラインのライン制御ＰＣがＢＣＡコード記録の度にＢＣＡデータをＤＢサーバ１０からＬＡＮ３０を介してダウンロードするため、ＬＡＮ３０上でのトラフィックが増加し、特にＢＣＡ記録ラインを多数備えるシステムにあっては生産ラインの生産能力が低下すると言う不具合があった。
【０００６】
本発明の目的は、製造システムにおけるＬＡＮ上のトラフィックを増加させることなくユニークなＢＣＡデ−タを記録媒体に記録することができるＢＣＡデ−タ記録システムを提供することである。また本発明の他の目的は、ユニークなＢＣＡデ−タを記録媒体に記録すると共に、当該ＢＣＡデータの管理を容易にすることができるＢＣＡデ−タ記録システムを提供することである。
【課題を解決するための手段】
【０００７】
前記目的を達成するため本発明は、記録媒体にＢＣＡデータを記録するＢＣＡマーカ及び該ＢＣＡマーカにＢＣＡデータを転送して当該ＢＣＡデータの記録を指示するライン制御コンピュータとを有する複数のＢＣＡデータ記録ラインと、該複数のＢＣＡデータ記録ラインとＬＡＮを介して接続するデータベースサーバとから成るＢＣＡデータ記録システムであって、前記データベースサーバは、該ＢＣＡデータ記録システムにユニークに付与された固有ＩＤを前記複数のＢＣＡデータ記録ラインに固有に付与された工場ＩＤとラインＩＤごとに記憶し、前記ライン制御コンピュータは、前記固有ＩＤをＬＡＮを介してデータベースサーバから受信し、該受信した固有ＩＤと前記ライン制御コンピュータ自身が記憶する工場ＩＤとラインＩＤとを基に前記複数のＢＣＡデータ記録ライン毎のユニークなＢＣＡデータを生成し、該生成したＢＣＡデータをＢＣＡマーカを用いて記録媒体に記憶させることを第１の特徴とする。
【０００８】
また本発明は、前記第１の特徴のＢＣＡデータ記録システムにおいて、前記ライン制御コンピュータが、前記固有ＩＤと工場ＩＤとラインＩＤを組み合わせ、これを１ずつ値が増加するシリアル番号の基数とすることにより、複数のＢＣＡデータ記録ライン毎のユニークなＢＣＡデータを生成することを第２の特徴とする。
【０００９】
更に本発明は、前記第２の特徴のＢＣＡデータ記録システムにおいて、前記ライン制御コンピュータが、最終記録を行ったＢＣＡデータに含まれるシリアル番号から工場ＩＤとラインＩＤを取り除いたデータを固有ＩＤとしてデータベースサーバに送信し、該データベースサーバが、前記ライン制御コンピュータのＢＣＡデータの記録を再開するとき、前記転送された固有ＩＤをライン制御コンピュータに送信し、該ライン制御コンピュータが、前記固有ＩＤと工場ＩＤとラインＩＤを組み合わせ、これを１ずつ値が増加するシリアル番号の基数とすることにより、ＢＣＡデータを生成することを第３の特徴とする。
【発明の効果】
【００１０】
本発明によるＢＣＡデータ記録システムは、ライン制御コンピュータが、ＢＣＡデータ記録システムにユニークに付与された固有ＩＤとＢＣＡデータ記録ラインに固有に付与された工場ＩＤとラインＩＤとを基に前記複数のＢＣＡデータ記録ライン毎のユニークなＢＣＡデータを生成することによって、ＢＣＡデータの記録の度にＢＣＡデータをデータベースサーバからダウンロードする必要がなく、ＬＡＮ上のトラフィックを増加させることなくユニークなＢＣＡデ−タを記録媒体に記録することができる。
【発明を実施するための最良の形態】
【００１１】
以下、本発明の一実施形態によるＢＣＡデ−タ記録システムを図１を参照して説明する。
【００１２】
本実施形態によるＢＣＡデ−タ記録システムは、図１に示す如く、当該システム内におけるＢＣＡデータを管理するデータベース（ＤＢ）サーバ１０と、該ＤＢサーバ１０とＬＡＮ３０を介して接続される複数のＢＣＡデータ記録ライン２０ａ〜２０ｎとから成り、例えば前記ＢＣＡデータ記録ライン２０ａは、複数のＤＶＤ３１ａ〜３１ｄにＢＣＡデータを記録するＢＣＡマーカ２２ａと、該ＢＣＡマーカ２２ａを制御するライン制御ＰＣ（コンピュータ）２１ａとから構成され、前記ＢＣＡデータ記録ライン２０ｎは、複数のＤＶＤ４１ａ〜４１ｄにＢＣＡデータを記録するＢＣＡマーカ２２ｎと、該ＢＣＡマーカ２２ｎを制御するライン制御ＰＣ２１ｎとから構成され、当該記録システム毎に固有に付与された固有ＩＤと、製造工場毎にユニークに付与された工場ＩＤと、ＢＣＡデータ記録ライン２０ａ〜２０ｎ毎に固有に付与されたラインＩＤとが予め付与され、前記固有ＩＤ及び工場ＩＤは、全世界において他の固有ＩＤと重複しない唯一のユニークなものが付与されているものとする。
【００１３】
この様に構成したＢＣＡデ−タ記録システムは、ＢＣＡデータ（メディアＩＤ）が他と重複しない唯一の値（ユニークな値）であれば良いことに着目し、ＢＣＡデータ記録ライン２０ａ〜２０ｎが、当該記録システム毎に固有に付与された固有ＩＤと、工場ＩＤと、ＢＣＡデータ記録ライン２０ａ〜２０ｎ毎に固有に付与されたラインＩＤと、これら固有ＩＤ／工場ＩＤ／ラインＩＤに基準値から「１」ずつ値が増加するシリアル番号とを組み合わせ、「固有ＩＤ＋ラインＩＤ＋シリアル番号（基準値＋ｎ［ｎ＝０，１，２・・］）」から成るユニークなＢＣＡデータを生成し、この生成ＢＣＡデータを個々のＤＶＤに記録する様に構成している。例えば、固有ＩＤが「ＡＡＡＡ００１」、ラインＩＤが「Ｌ０１」、シリアル番号の基準値が「Ｄ００００００１」の場合、最初のＢＣＡデータは「ＡＡＡＡ００１Ｌ０１Ｄ００００００１」として生成され、以降のＢＣＡデータは前記シリアル番号値が「１」ずつカウントアップするように生成される。尚、本明細書における「ユニーク」とは、唯一又は他と重複しない「１」の意味で使用する。
【００１４】
前記ＤＢサーバ１０は、当該記録システムの固有ＩＤと工場ＩＤと各ＢＣＡデータ記録ライン２０ａ〜２０ｎ毎のラインＩＤとを記憶乃至管理する機能を有する。前記ＢＣＡデータ記録ライン２０ａ〜２０ｎのライン制御ＰＣ２１ａ〜２１ｎは、最終記録を行ったＢＣＡデータに含まれるシリアル番号から工場ＩＤとラインＩＤを取り除いたデータを固有ＩＤとしてＬＡＮ３０を介しＤＢサーバ１０に送信する機能と、ＢＣＡデータの記録を再開するときにＤＢサーバ１０から前記送信した固有ＩＤを受信し、前述と同様に前記固有ＩＤと工場ＩＤとラインＩＤを組み合わせ、これを１ずつ値が増加するシリアル番号の基数とすることにより、ＢＣＡデータを生成する機能とを備える。尚、前記ＢＣＡデータ生成機能は、前記ＤＢサーバ１０に設定された固有ＩＤ及び自己のラインＩＤと前記ＤＢサーバ１０から得た最終シリアル番号に順次、値「１」を加算してユニークなＢＣＡデータを生成するものであるが、例えば算出される値が重複しない唯一の番号を生成する所定の計算式を用い、ユニークなＢＣＡデータを生成するものであれば、前記実施形態例に記載のものに限られるものではない。
【００１５】
このようにライン制御ＰＣ２１ａ〜２１ｎは、前記固有ＩＤと工場ＩＤとラインＩＤを組み合わせ、これらシリアル番号を「１」ずつ増加させて加えることによって新たなＢＣＡデータを生成して、ＢＣＡコード記録する。
【００１６】
これを具体的に説明すると、例えば工場ＩＤ１のラインＩＤ１のシリアル番号が、「１０００」（この番号までが使われたシリアル番号）、ラインＩＤ２のシリアル番号が「１５３８」（この番号までが使われたシリアル番号）の場合、ライン制御ＰＣ２１ａ〜２１ｎは、ＢＣＡデータの記録開始時にＤＢサーバ１０から固有ＩＤを受信し、シリアル番号開始値を、ラインＩＤ１のラインのＰＣが「１００１」、ラインＩＤ２のラインＰＣが「１５３９」に設定する。このため、ラインＩＤ１のＢＣＡマーカ２２ａに送信されるシリアル番号は、１１００…００１００１、１１００…００１００２、１１００…００１００３〜となり、ラインＩＤ２のラインのＢＣＡマーカ２２ｂに送信されるシリアル番号は、１２００…００１５３９、１２００…００１５３Ａ、１１００…００１５３Ｂ〜となる。即ち、工場ＩＤとラインＩＤは、それごとにシリアル番号を管理しているためＤＢサーバ１０側でも管理するものの、ＩＤの記憶がメインではなく、工場ＩＤとラインＩＤは、あくまでもライン制御ＰＣ２１ａ〜２１ｎ内に設定される。
【００１７】
また本システムは、ＢＣＡデータ記録ライン２０ｎにおいても、ＤＢサーバ１０から受信した当該記録システムの固有ＩＤと工場ＩＤとＢＣＡデータ記録ライン２０ｎのラインＩＤとを用いてユニークなＢＣＡコードを生成し、ＤＶＤに順次記録する様に構成されている。
【００１８】
さて、このように構成されたＢＣＡデ−タ記録システムは、ＢＣＡデータの記録開始時においては、ＤＢサーバ１０が、固有ＩＤをＢＣＡデータ記録ライン２０ａに転送することにより、ＢＣＡデータ記録ライン２０ａのライン制御ＰＣ２１ａが、前記固有ＩＤと工場ＩＤとラインＩＤとシリアル番号とを組み合わせてユニークなＢＣＡデータ（図示の例では「ＩＤｘ＋１」）を生成し、この生成したＢＣＡデータ（同「ＩＤｘ＋１」）をＤＶＤ３１ａに書き込み、次いで前記シリアル番号値をカウントアップしたＢＣＡデータ（同「ＩＤｘ＋２」）を生成し、この生成したＢＣＡデータ（同「ＩＤｘ＋２」）をＤＶＤ３１ｂに書き込み、以下、同様にシリアル番号をカウントアップしながら新たなＢＣＡデータの生成並びに書き込みを行うように動作する。
【００１９】
次いで、本システムは、例えば１日のＢＣＡデータの記録が終了したとき、前記ライン制御ＰＣ２１ａが、最終記録を行ったＢＣＡデータに含まれるシリアル番号から工場ＩＤとラインＩＤを取り除いたデータを固有ＩＤとしてＤＢサーバ１０に送信して記憶する。次いでライン制御ＰＣ２１ａは、ＢＣＡデータの記録を再開するとき、先に転送して固有ＩＤをＤＢサーバ１０から受信し、この受信した固有ＩＤと工場ＩＤとラインＩＤを組み合わせ、これを１ずつ値が増加するシリアル番号の基数としてＢＣＡデータを生成する。具体的には前回の最終記録を行ったシリアル番号に値「１」を加算して新たなシリアル番号値を生成し、このシリアル番号値と前記固有ＩＤと工場ＩＤとラインＩＤと組み合わせた新たなＢＣＡデータを生成し、ＢＣＡマーカ２２ａを用いてＢＣＡデータの書き込みを再開することができる。
【００２０】
本実施形態によるＢＣＡデ−タ記録システムは、ＢＣＡデータ記録ラインが、自己の属する記録システム毎に固有に付与された固有ＩＤと、工場毎に固有に付与された工場ＩＤと、自己のＢＣＡデータ記録ライン毎に固有に付与されたラインＩＤと、自己でカウントアップするシリアル番号値を用いてＢＣＡデータを生成してＢＣＡデータの記録を行い、当該シリアル番号値をライン制御ＰＣが管理することによって、記録媒体であるＤＶＤ個々にユニークなＢＣＡデータを記録することができることに加え、ＢＣＡデータ記録毎にＬＡＮ３０を介してＢＣＡデータを転送することがないため、製造ラインにおけるＬＡＮのトラフィック増加を防止することができる。
【００２１】
更に本実施形態によるＢＣＡデ−タ記録システムは、各ＢＣＡデータ記録ラインの最終記録を行ったシリアル番号を記憶乃至管理するため、各ＢＣＡデータ記録ラインがＤＶＤに既に記録したＢＣＡデータを固有ＩＤ及びラインＩＤを基に算出することができ、これによって既に記録したＢＣＡデータを記録ライン毎に管理することもできる。
【００２２】
尚、前記実施形態においては、ＢＣＡデータ記録ライン毎のシリアル番号をライン制御ＰＣが記憶乃至管理する例を説明したが、本発明はこれに限られるものではなく、シリアル番号等の固有ＩＤ及びラインＩＤに付加する番号記号等をＤＢサーバで記録管理し、ライン制御ＰＣ側に報告する様に構成しても良い。
【図面の簡単な説明】
【００２３】
【図１】本発明の一実施形態によるＢＣＡデ−タ記録システムを示す図。
【図２】従来技術によるＢＣＡデ−タ記録システムを示す図。
【符号の説明】
【００２４】
１０：データベースサーバ、２０ａ〜２０ｎ：ＢＣＡデータ記録ライン、２１ａ〜-２１ｎ：ライン制御コンピュータ、２２ａ〜-２２ｎ：ＢＣＡマーカ、３０：ＬＡＮ。
【図１】
2009080898.tif 000003
【図２】
2009080898.tif 000004